【事件の表示】
　平成　１年特許願第１７１６１９号「自動演奏装置」拒絶査定に対する審判事件［平成　３年　２月１８日出願公開、特開平　３−　３６５９８、平成　７年１１月２９日出願公告、特公平　７−１１１６２４］について、次のとおり審決する。
【結　論】
　本件審判の請求は、成り立たない。
【理　由】
 １．手続きの経緯、本願発明
　本願は、平成１年７月３日の出願であって、その請求項１に係る発明は、出願公告後の平成８年１１月５日付け手続補正書により補正された明細書および図面の記載からみて、同明細書の特許請求の範囲の請求項１に記載されたとおりの次のものと認めることができる。
「オーディオデータがメイン領域に記録されると共に、このメイン領域以外のサブ領域に自動演奏データが記録される記録媒体と、
　前記記録媒体からオーディオデータを再生する再生手段と、
　各楽音に対応した楽音データが設けられると共に、前記記録媒体に記録されるオーディオデータを再生させるための再生命令が所定の楽音データに対応して設けられている自動演奏データを記憶する記憶手段と、
　前記記憶手段から読み出される自動演奏データに基づいて自動演奏を行う自動演奏手段と、
　スタート指示操作に応じて、先ず前記サブ領域に記録されている自動演奏データを前記再生手段により再生させ、再生された自動演奏データを前記記憶手段に記憶させる記憶制御動作を実行し、次に前記記憶手段を制御し自動演奏データを順次読み出して前記自動演奏手段に与えて自動演奏を行なわせると共に、前記記憶手段から前記再生命令が読み出されたことを検知して前記再生手段に再生制御信号を送り前記記録媒体によるオーディオデータの再生を行なわせる演奏制御動作を実行する制御手段と、
　を有することを特徴とする自動演奏装置。」
　なお、本願明細書につき平成１１年１月６日付けでした手続補正は、当審において平成１２年８月２２日付けで却下しているので、請求項１に係る発明は上記のとおりのものと認定される。
　
　２．引用例
　これに対して、原査定の拒絶理由である特許異議の決定の理由で引用された特開昭６３−３１６０９５号公報（平成６３年１２月２３日公開、以下「引用例１」という）、および実願昭５７−６３６６６号（実開昭５８−１６６６９４号）のマイクロフィルム（昭和５８年１１月７日公開、以下「引用例２」という）には、いずれも自動演奏装置について、それぞれ次のとおりの記載がなされている。
【引用例１】
Ａ．「演奏順に楽音データ及び音声有無表示データからなる演奏データを記憶している演奏データ記憶部と、楽音データに対応した楽音信号を発生させる楽音発生部と、音声データ及びこの発生順序を記憶しており音声有無表示データの“有”状態のとき音声信号を発生させる音声合成部と、楽音信号及び音声信号を加算する加算部と、起動操作部と、起動操作部から起動をかけられることにより演奏データ記憶部から楽音データ及び音声有無表示データを順次読み出して楽音発生部及び音声合成部に供給制御する制御部とをそなえてなる自動演奏装置。」（第１頁の特許請求の範囲）
Ｂ．「次に、この実施例の動作を第２図とともに説明する。起動スイッチ等が押されて起動操作部１４から起動信号（イ）を受け取ると、制御部１５は演奏データ記憶部１０から演奏データ（ロ）を読み込む。その演奏データ（ロ）が、楽音データ（ハ）だけか否か、音声有無表示データ（ホ）が含まれているか否かを判別する。楽音データ（ハ）のみで音声有無表示データ（ホ）が“無”状態であれば、楽音発生部１１へそのまま転送する。楽音発生部１１は、楽音データ（ハ）に基づき楽音信号（ニ）を送出し出力する。
　この楽音信号（ニ）の送出が終了すると、制御部１５は次の演奏データ（ロ）を演奏データ記憶部１０から読み込む。
　この演奏データ（ロ）の中に音声有無表示データ（ホ）が“有”状態で含まれていると、音声有無表示データ（ホ）は音声合成部１２へ転送され、同時に楽音データ（ハ）は楽音発生部１１へ転送される。
　すると、前述の如く、楽音発生部１１は楽音データ（ハ）に対応した楽音信号（ニ）を発生する。
とともに、音声合成部（１２）は、音声有無表示データ（ホ）に従って、音声データ選択部１７が音声データ記憶部１６のアドレスを選択指定することにより、音声データ記憶部１６が該当音声データに基づいて音声信号を生成出力する。
　上記動作を繰り返して、音声信号を伴った楽音信号が自動演奏される。
　音声信号と楽音信号との同期は、演奏信号の中に、楽音データと音声有無表示データとを一緒に収納していることにより、正確なタイミングで実現され、その為の特別な装置は要求されない。」（第３頁左上欄６行〜同頁右上欄１７行）
【引用例２】
Ａ．「楽曲の楽音データと、前記楽曲に関する複数の自動演奏データとが共通に記録されてなる記録媒体と、この記録媒体から前記各データを読取ると共に前記楽音データに対応する楽音再生、または前記複数の自動演奏データのうちの任意の自動演奏データに基づく自動演奏、またはこれら楽音再生と自動演奏の両方を行う装置とを具備してなることを特徴とする自動演奏装置。」（第１頁の実用新案登録請求の範囲１項）
Ｂ．「次に以上の構成を持つこの実施例の動作を、オーケストラ音をバックにして、トランペット音を用いた自動演奏（・・・中略・・・）を行う場合について説明する。
　この場合操作者（練習者）は、読取データ指定スイッチ８によってオーケストラ楽音データ３−１と、トランペットパート５−１を指定した後、演奏開始を指令する。読取装置７はこの指令に従って（・・・中略・・・）トランペットパート５−１を読取って自動演奏データ記憶部１０へ記憶する。以上の記憶動作が完了すると、符長検出／読出制御部１６は自動演奏データ記憶部１０に記憶された前記トランペットパート５−１の各音符データを順次読出し始め、また同時に読取装置７は（・・・中略・・・）オーケストラ楽音データ３−１（・・・中略・・・）を並列にかつリアルタイムに読出して行く。
　この結果、スピーカ１５からはオーケストラ楽音データ３−１に対応するオーケストラ音と、トランペットパート５−１に対応するトランペット音による演奏音（・・・中略・・・）とが発音され、」（第９頁１７行〜第１１頁２行）
　
　３．対比
（１）本願の前記請求項１に係る発明（以下本願発明という）と引用例１に記載された発明（以下引用発明という）とを対比すると次のことが認められる。
（ａ）両者は、いずれも自動演奏装置であって、自動演奏データに基づき、自動演奏（引用発明でいう楽音信号の発生）と合わせてオーディオデータ（引用発明でいう音声データ）を出力させるものであることが明らかである。
（ｂ）本願発明でいう記録媒体およびその再生手段と引用発明の音声合成部とは、いずれもオーディオデータを出力するオーディオデータ出力手段といえるものである。
（ｃ）もっとも、本願発明でいう記録媒体は、オーディオデータと共に自動演奏データも記録されたもの（オーディオデータがメイン領域に、自動演奏データがサブ領域に記録されたもの）であり、上記再生手段は上記の記録がなされた記録媒体を再生するものであるところ、引用発明では、そのような記録媒体とその再生手段は用いられておらず、音声データ記憶部１６からそのアドレス指定に応じて音声データ（オーディオデータ）を出力する音声合成部１２が用いられている（前記Ｂの記載、第１図参照）のであるから、この点では本願発明と引用発明とに違いがある。
（ｄ）本願発明でいう自動演奏データを記憶する記憶手段は、引用発明の演奏データ記憶部に対応する。またこの演奏データ記憶部に関し、引用例１の前記Ａの記載には、「演奏順に楽音データ及び音声有無表示データからなる演奏データを記憶している」、「音声有無表示データの“有”状態のとき音声信号を発生させる」とあることから明らかなように、引用発明の演奏データは、本願発明と同じく「各楽音に対応した楽音データが設けられ」たものといえ、かつ、これと共に音声有無表示データも設けられたもので、この音声有無表示データと本願発明でいう「オーディオデータを再生させるための再生命令」とは、いずれもオーディオデータの出力命令といえるものである。
（ｅ）本願発明でいう「記憶手段から読み出される自動演奏データに基づいて自動演奏を行う自動演奏手段」は引用発明でいう楽音発生部と格別変わりがない。
（ｆ）本願発明の制御手段と引用発明の制御部とは、いずれもスタート指示操作（引用発明でいう起動操作部による操作）に応じ、上記自動演奏手段による自動演奏の制御と上記オーディオデータ出力手段（前者では上記記憶媒体と再生手段、後者では上記音声合成部）の出力動作の制御との演奏制御動作を行うものといえる点で変わりがない。
（ｇ）しかしながら、本願発明の制御手段は、その演奏制御動作を行うための自動演奏データがオーディオデータと共に上記記録媒体に記録されていることから、スタート指示操作に応じ、演奏制御動作に先立って、上記記録媒体から自動演奏データを再生させて上記記憶手段に記憶させる記憶制御動作を行うのに対し、自動演奏データの記録媒体からの再生を前提としていない引用発明では、制御部によるそのような記憶制御動作はなされていない。
（２）以上の対比結果によれば、本願発明と引用発明との一致点、相違点は次のとおりであると認めることができる。
【一致点】
　両者は、いずれも「オーディオデータの出力手段と、各楽音に対応した楽音データが設けられると共に前記オーディオデータ出力手段からオーディオデータを出力させる出力命令が所定の楽音データに対応して設けられている自動演奏データを記憶する記憶手段と、前記記憶手段から読み出される自動演奏データに基づいて自動演奏を行う自動演奏手段と、スタート指示操作に応じて、前記記憶手段を制御し自動演奏データを順次読み出して前記自動演奏手段に与えて自動演奏を行なわせると共に、前記記憶手段から前記出力命令が読み出されたことを検知して前記オーディオデータ出力手段に出力制御信号を送りオーディオデータの出力を行なわせる演奏制御動作を実行する制御手段とを有する自動演奏装置」であるといえる点。
【相違点】
（イ）上記オーディオデータ出力手段として、本願発明では、「オーディオデータがメイン領域に記録されると共に、このメイン領域以外のサブ領域に自動演奏データが記録される記録媒体と、前記記録媒体からのオーディオデータを再生する再生手段」が用いられているのに対し、引用発明では音声データ記憶部１６からそのアドレス指定に応じて音声データ（オーディオデータ）を出力する音声合成部が用いられており、また、本願発明では、上記記録媒体にオーディオデータと共に自動演奏データも記録されていることから、上記制御手段が、スタート指示操作に応じ、演奏制御動作に先立って「先ず前記サブ領域に記録されている自動演奏データを前記再生手段により再生させ、再生された自動演奏データを前記記憶手段に記憶させる記憶制御動作」を実行しているのに対し、引用発明の制御部ではそのような記憶制御動作はなされない点。
（ロ）上記オーディオデータ出力手段の相違に伴い、本願発明では、上記オーディオデータの出力命令が「前記記録媒体に記録されるオーディオデータを再生させるための再生命令」であって、この命令に応じた上記記録媒体からのオーディオデータの再生の制御がなされているのに対し、引用発明では、上記オーディオデータの出力命令は音声合成部の記憶部に対する音声データ（オーディオデータ）の生成出力命令であって、この命令に応じた上記記憶部からのオーディオデータの生成出力の制御がなされている点。
　
　４．判断
（１）相違点（イ）について
　引用例２には、自動演奏装置において、楽曲の楽音データとこれに関する複数の自動演奏データとが共通に記録された記録媒体を用い、これら各データを読み取って楽音再生と自動演奏の両方を行い得るようにすること（前記Ａの記載）、このような楽音再生と自動演奏とを行うには、演奏開始指令に応じ、記録媒体から自動演奏データを読み取って自動演奏データ記憶部に記憶し、記憶完了後に自動演奏データを順次読み出し始め、同時に上記記録媒体から楽音データを並列的にリアルタイムに読み出して行くようにすればよいこと（前記Ｂの記載）が開示されている。そしてこの開示技術は、自動演奏装置を対象に自動演奏と同時にオーディオデータ（楽音データ）を出力させようとするものである点で、引用発明と技術分野や基本的課題を共通にするものであるから、この開示技術を引用発明に適宜適用し、相違点（イ）に係る本願発明の構成を得ることは当業者には容易に予測されることである。なお、本願発明では、記録媒体上でのオーディオデータと自動演奏データとの記録領域について、オーディオデータがメイン領域に、自動演奏データがメイン領域以外のサブ領域に記録されるとしているが、これらデータの各記録領域のいずれをメイン領域としいずれをサブ領域とするかは、各データのデータ量等に応じた設計事項にすぎないものと認められる。
（２）相違点（ロ）について
　相違点（ロ）に係る本願発明の構成は、前記オーディオ出力手段として引用例２に開示されるような記録媒体とその再生手段を採用するに伴った当然の構成にすぎないものであるから、かかる構成において本願発明が格別のものであるとすることはできない。
（３）以上判断したとおり、本願発明における上記相違点（イ），（ロ）に係る構成は、いずれも当業者が容易に想到し得たといえるものであり、また本願発明の効果についてみても、上記構成の採用に伴って当然に予測される程度のものにすぎず、格別顕著なものがあるとは認められない。
５．むすび
　以上のとおりであるから、前記請求項１に係る本願発明は、引用例１，２の記載に基づいて当業者が容易に発明をすることができたものであり、したがって特許法第２９条第２項の規定により特許を受けることができない。
　よって、結論のとおり審決する。